(57)【要約】【課題】別のビアホールの加工が要らなく、回路設計の自由度を高めることができる電子部品内装型プリント基板及びその製造方法を提供する。【解決手段】空洞１１５が厚さ方向に形成されたベース基板１１０；活性面１２３がベース基板１１０の一面と一致するように空洞１１５内に配置された電子部品１２０；ベース基板１１０の他面に積層されて電子部品１２０を埋め込む絶縁材１３０；及びベース基板１１０の一面に形成されて電子部品１２０の接続端子１２５と接続する接続パターン１４５を含む第１回路層１４０；を含んでなる。電子部品１２０の活性面１２３をベース基板１１０の一面に一致させて配置することにより、別のビアホール加工が不要であり、多大な費用が消耗されるレーザー工程を省略することができるとともに、製造工程を簡素化することができ、製造費用を節減することができる。【選択図】図２
2011119628.tif 000002
【特許請求の範囲】
【請求項１】
空洞が厚さ方向に形成されたベース基板；
活性面が前記ベース基板の一面と一致するように前記空洞内に配置された電子部品；
前記ベース基板の他面に積層されて前記電子部品を埋め込む絶縁材；及び
前記ベース基板の一面に形成されて前記電子部品の接続端子と接続する接続パターンを含む第１回路層；
を含むことを特徴とする電子部品内装型プリント基板。
【請求項２】
前記絶縁材の他面に形成された第２回路層をさらに含むことを特徴とする請求項１に記載の電子部品内装型プリント基板。
【請求項３】
前記第１回路層と前記第２回路層を連結するように、前記ベース基板と前記絶縁材を貫いて形成されたビアをさらに含むことを特徴とする請求項２に記載の電子部品内装型プリント基板。
【請求項４】
前記ベース基板の一面または前記絶縁材の他面に積層されたビルドアップ層をさらに含むことを特徴とする請求項１に記載の電子部品内装型プリント基板。
【請求項５】
前記ベース基板が、アンクラッド銅張積層板（ｕｎｃｌａｄ ＣＣＬ）またはエポキシ系樹脂でなることを特徴とする請求項１に記載の電子部品内装型プリント基板。
【請求項６】
前記ベース基板が、前記第１回路層に対応するように、パターニングされた銅箔が一面に形成されたことを特徴とする請求項１に記載の電子部品内装型プリント基板。
【請求項７】
前記絶縁材が、ＲＣＣ（Ｒｅｓｉｎ Ｃｏａｔｅｄ Ｃｏｐｐｅｒ Ｆｏｉｌ）またはプリプレグ（ｐｒｅｐｒｅｇ）であることを特徴とする請求項１に記載の電子部品内装型プリント基板。
【請求項８】
前記電子部品の活性面が、前記電子部品の接続端子の露出面であることを特徴とする請求項１に記載の電子部品内装型プリント基板。
【請求項９】
前記電子部品の活性面が、パッシベーション層の露出面であり、前記電子部品の接続端子が、前記パッシベーション層に埋め込まれたことを特徴とする請求項１に記載の電子部品内装型プリント基板。
【請求項１０】
（Ａ）一面に支持テープが付着され、空洞が厚さ方向に形成されたベース基板を準備する段階；
（Ｂ）活性面が前記ベース基板の一面と一致するように、前記空洞内に電子部品を配置する段階；
（Ｃ）前記ベース基板の他面に絶縁材を積層して前記電子部品を埋め込む段階；及び
（Ｄ）前記支持テープを除去し、ベース基板の一面に前記電子部品の接続端子と接続する接続パターンを含む第１回路層を形成する段階；
を含むことを特徴とする電子部品内装型プリント基板の製造方法。
【請求項１１】
前記（Ｄ）段階において、
前記絶縁材の他面に第２回路層を形成することを特徴とする請求項１０に記載の電子部品内装型プリント基板の製造方法。
【請求項１２】
前記第１回路層と前記第２回路層を連結するように、前記ベース基板と前記絶縁材を貫くビアを形成することを特徴とする請求項１１に記載の電子部品内装型プリント基板の製造方法。
【請求項１３】
前記（Ｄ）段階の後に、
前記ベース基板の一面または前記絶縁材の他面にビルドアップ層を積層する段階をさらに含むことを特徴とする請求項１０に記載の電子部品内装型プリント基板の製造方法。
【請求項１４】
前記（Ｂ）段階において、
前記電子部品の活性面が、前記電子部品の接続端子の露出面であることを特徴とする請求項１０に記載の電子部品内装型プリント基板の製造方法。
【請求項１５】
前記（Ｂ）段階において、
前記電子部品の活性面が、パッシベーション層の露出面であり、前記電子部品の接続端子が、前記パッシベーション層に埋め込まれたことを特徴とする請求項１０に記載の電子部品内装型プリント基板の製造方法。
【請求項１６】
前記（Ａ）段階において、
前記支持テープが、ポリイミドテープ（ＰＩ ｔａｐｅ）、熱発泡テープまたはＵＶテープであることを特徴とする請求項１０に記載の電子部品内装型プリント基板の製造方法。
【請求項１７】
前記（Ａ）段階において、
前記支持テープの一面には、支持基板が備えられることを特徴とする請求項１０に記載の電子部品内装型プリント基板の製造方法。
【請求項１８】
前記（Ａ）段階において、
前記ベース基板が、アンクラッド銅張積層板（ｕｎｃｌａｄ ＣＣＬ）またはエポキシ系樹脂でなることを特徴とする請求項１０に記載の電子部品内装型プリント基板の製造方法。
【請求項１９】
前記（Ａ）段階において、
前記ベース基板が、一面に銅箔が形成された絶縁材であり、
前記（Ｄ）段階において、
前記銅箔にメッキ層を形成し、前記銅箔と前記メッキ層をパターニングして第１回路層を形成することを特徴とする請求項１０に記載の電子部品内装型プリント基板の製造方法。
【請求項２０】
前記（Ｃ）段階において、
前記絶縁材が、ＲＣＣ（Ｒｅｓｉｎ Ｃｏａｔｅｄ Ｃｏｐｐｅｒ Ｆｏｉｌ）またはプリプレグ（ｐｒｅｐｒｅｇ）であることを特徴とする請求項１０に記載の電子部品内装型プリント基板の製造方法。
【発明の詳細な説明】
【技術分野】
【０００１】
本発明は、電子部品内装型プリント基板及びその製造方法に関する。
【背景技術】
【０００２】
半導体パッケージにおいて、プロファイル減少及び多様な機能を要求する市場の傾向にしたがってプリント基板の具現においても多様な技術が要求される。
【０００３】
例えば、ＦＣＢＧＡ（Ｆｌｉｐ Ｃｈｉｐ Ｂａｌｌ Ｇｒｉｄ Ａｒｒａｙ）パッケージの製造において、ＩＣ部品の導電性端子またはランドはリフロー可能なソルダバンプまたはボールを使用して基板の表面上にダイボンド領域の対応ランドに直接ソルダリングされる。
【０００４】
この際、電子部品または部品は基板トレースを含む電気的導電性経路の階層を介して電子システムの他の素子に機能的に接続され、基板トレースは一般にシステムのＩＣなどの電子部品の間で伝送される信号を運搬する。ＦＣＢＧＡの場合、基板上端のＩＣと下端のキャパシタ（Ｃａｐａｃｉｔｏｒ）がそれぞれ表面実装できる。この場合、基板の厚さの分だけＩＣとキャパシタを連結する回路の経路、つまり連結回路の長さが増え、インピーダンス値が増加して、電気的性能に良くない影響を及ぼす。また、下端面の一定面積をチップの実装のために使用するしかないため、例えば、下端のすべての面にボールアレイを望む使用者の場合には要求を満足させることができないなど、設計自由度が制限される。
【０００５】
これに対する解決方案として、部品を基板中に挿入して回路の経路を減らす部品内装技術が台頭している。内装型ＰＣＢは、既存の基板上にパッケージ形態に実装されていた能動／受動（Ａｃｔｉｖｅ／ｐａｓｓｉｖｅ）電子部品を有機基板内に内蔵することで、余分の表面積確保による多重機能（Ｍｕｌｔｉ−ｆｕｎｃｔｉｏｎｉｎｇ）、信号伝逹ラインの最小化による高周波低損失／高効率技術対応及び小型化の期待を満足させることができる、一種の次世代３次元パッケージ技術をなすことができ、新形態の高機能パッケージングトレンドを導き出すことができる。
【０００６】
図１Ａ〜図１Ｅは、従来の電子部品内装プリント基板の製造方法を工程順に示す断面図で、これらに基づいて従来技術の問題点を説明する。
【０００７】
まず、図１Ａに示すように、電子部品１が配置可能な空洞２が形成され、両面に第１回路パターン１１が備えられた絶縁層３と絶縁層３の一面に付着されテープ４とを含む基板本体１０を準備する段階である。
【０００８】
ついで、図１Ｂに示すように、電子部品１を絶縁層３の空洞２内に配置する段階である。この際、電子部品１は真空吸着方式のヘッダー（図示せず）によって空洞２内にフェースアップ方式で配置され、テープ４によって支持される。
【０００９】
ついで、図１Ｃに示すように、空洞２を含む基板本体１０に絶縁材５を積層する段階である。電子部品１が配置された空洞２内に絶縁材５を積層することにより、電子部品１は絶縁材５に埋め込まれる。
【００１０】
ついで、図１Ｄに示すように、テープ４を除去する段階である。もともとテープ４は、電子部品１が絶縁材５によって基板本体１０に固定されるまで電子部品１を支持する臨時部材なので、絶縁材５が積層された後に除去されるものである。
【００１１】
ついで、図１Ｅに示すように、絶縁材５の両面にビア６及び第２回路パターン７を含む回路層８を形成する段階である。この際、ビア６は、電子部品１の接続端子９と電気的に連結される。
【００１２】
ここで、接続端子９を露出させるために、レーザー工程で絶縁材５にビアホールを加工する場合、多大な費用が消耗される。さらに、ビアホール形成の際、レーザーによって電子部品１が貫通される不良が発生するおそれがある。また、レーザーでビアホールを加工して電子部品１の接続端子９を基板本体１０の回路と連結するので、内蔵可能な電子部品１のＩ／Ｏの数とピッチが制限される問題点があった。
【００１３】
また、絶縁層３の両面に第１回路パターン１１が備えられなければならなく、絶縁材５の両面にも第２回路パターン７が備えられなければならないので、構造的に４層以上に製作するしかなくて回路設計の自由度が制限される問題点があった。
【００１４】
そして、前述した工程は、空洞２の内部に精密に電子部品１を配置しにくく、接続端子９を外部から識別しにくいため、ビア６と接続端子９間の整合が難しい問題点があった。
【発明の概要】
【発明が解決しようとする課題】
【００１５】
したがって、本発明は、前述したような従来技術の問題点を解決するためになされたもので、本発明の目的は、電子部品の活性面をベース基板の一面に一致させて配置することにより、別のビアホールの加工が要らなく、ビアなしに電子部品の接続端子と接続パターンを直接連結することができるので、回路設計の自由度を高めることができる電子部品内装型プリント基板及びその製造方法を提供することである。
【課題を解決するための手段】
【００１６】
前記課題を達成するために、本発明の一面によれば、空洞が厚さ方向に形成されたベース基板；活性面が前記ベース基板の一面と一致するように前記空洞内に配置された電子部品；前記ベース基板の他面に積層されて前記電子部品を埋め込む絶縁材；及び前記ベース基板の一面に形成されて前記電子部品の接続端子と接続する接続パターンを含む第１回路層；を含む、電子部品内装型プリント基板が提供される。
【００１７】
前記電子部品内装型プリント基板は、前記絶縁材の他面に形成された第２回路層をさらに含むことが好ましい。
【００１８】
前記電子部品内装型プリント基板は、前記第１回路層と前記第２回路層を連結するように、前記ベース基板と前記絶縁材を貫いて形成されたビアをさらに含むことが好ましい。
【００１９】
前記電子部品内装型プリント基板は、前記ベース基板の一面または前記絶縁材の他面に積層されたビルドアップ層をさらに含むことが好ましい。
【００２０】
前記ベース基板は、アンクラッド銅張積層板（ｕｎｃｌａｄ ＣＣＬ）またはエポキシ系樹脂でなることが好ましい。
【００２１】
前記ベース基板は、前記第１回路層に対応するように、パターニングされた銅箔が一面に形成されることが好ましい。
【００２２】
前記絶縁材は、ＲＣＣ（Ｒｅｓｉｎ Ｃｏａｔｅｄ Ｃｏｐｐｅｒ Ｆｏｉｌ）またはプリプレグ（ｐｒｅｐｒｅｇ）であってもよい。
【００２３】
前記電子部品の活性面は、前記電子部品の接続端子の露出面であってもよい。
【００２４】
前記電子部品の活性面は、パッシベーション層の露出面であってもよく、前記電子部品の接続端子は、前記パッシベーション層に埋め込まれることが好ましい。
【００２５】
前記課題を達成するために、本発明の他の面によれば、（Ａ）一面に支持テープが付着され、空洞が厚さ方向に形成されたベース基板を準備する段階；（Ｂ）活性面が前記ベース基板の一面と一致するように、前記空洞内に電子部品を配置する段階；（Ｃ）前記ベース基板の他面に絶縁材を積層して前記電子部品を埋め込む段階；及び（Ｄ）前記支持テープを除去し、ベース基板の一面に前記電子部品の接続端子と接続する接続パターンを含む第１回路層を形成する段階；を含む、電子部品内装型プリント基板の製造方法が提供される。
【００２６】
前記（Ｄ）段階において、前記絶縁材の他面に第２回路層を形成することができ、前記第１回路層と前記第２回路層を連結するように、前記ベース基板と前記絶縁材を貫くビアを形成することが好ましい。
【００２７】
前記（Ｄ）段階の後に、前記ベース基板の一面または前記絶縁材の他面にビルドアップ層を積層する段階をさらに含むことが好ましい。
【００２８】
前記（Ｂ）段階において、前記電子部品の活性面は、前記電子部品の接続端子の露出面であってもよい。
【００２９】
前記（Ｂ）段階において、前記電子部品の活性面は、パッシベーション層の露出面であってもよく、前記電子部品の接続端子は前記パッシベーション層に埋め込まれることが好ましい。
【００３０】
前記（Ａ）段階において、前記支持テープは、ポリイミドテープ（ＰＩ ｔａｐｅ）、熱発泡テープまたはＵＶテープであってもよい。
【００３１】
前記（Ａ）段階において、前記支持テープの一面には、支持基板が備えられることが好ましい。
【００３２】
前記（Ａ）段階において、前記ベース基板は、アンクラッド銅張積層板（ｕｎｃｌａｄ ＣＣＬ）またはエポキシ系樹脂でなることが好ましい。
【００３３】
前記（Ａ）段階において、前記ベース基板は、一面に銅箔が形成された絶縁材であってもよく、前記（Ｄ）段階において、前記銅箔にメッキ層を形成し、前記銅箔と前記メッキ層をパターニングして第１回路層を形成することが好ましい。
【００３４】
前記（Ｃ）段階において、前記絶縁材は、ＲＣＣ（Ｒｅｓｉｎ Ｃｏａｔｅｄ Ｃｏｐｐｅｒ Ｆｏｉｌ）またはプリプレグ（ｐｒｅｐｒｅｇ）であってもよい。
【００３５】
本発明の特徴及び利点は、添付図面に基づいた以降の詳細な説明からより明らかになるであろう。
【００３６】
本発明の詳細な説明に先立ち、本明細書及び請求範囲に使用された用語や単語は通常的で辞書的な意味に解釈されてはならず、発明者がその自分の発明を最善の方法で説明するために用語の概念を適切に定義することができるという原則にしたがって本発明の技術的思想にかなう意味と概念に解釈されなければならない。
【発明の効果】
【００３７】
本発明によれば、電子部品の活性面をベース基板の一面に一致させて配置することにより、別のビアホール加工が不要であり、多大な費用が消耗するレーザー工程を省略することができる。よって、製造工程を簡素化することができ、製造費用を節減することができる利点がある。
【００３８】
また、本発明によれば、ビアなしに接続端子と接続パターンが直接連結されるので、接続信頼性が優れ、回路設計の自由度を高めることができる効果がある。
【図面の簡単な説明】
【００３９】
【図１Ａ】従来の電子部品内装プリント基板の製造方法の工程（１）を示す断面図である。
【図１Ｂ】従来の電子部品内装プリント基板の製造方法の工程（２）を示す断面図である。
【図１Ｃ】従来の電子部品内装プリント基板の製造方法の工程（３）を示す断面図である。
【図１Ｄ】従来の電子部品内装プリント基板の製造方法の工程（４）を示す断面図である。
【図１Ｅ】従来の電子部品内装プリント基板の製造方法の工程（５）を示す断面図である。
【図２】本発明の好適な実施例による電子部品内装型プリント基板の断面図（１）である。
【図３】本発明の好適な実施例による電子部品内装型プリント基板の断面図（２）である。
【図４Ａ】本発明の好適な実施例による電子部品内装型プリント基板の製造方法の工程（１）を示す断面図である。
【図４Ｂ】本発明の好適な実施例による電子部品内装型プリント基板の製造方法の工程（２）を示す断面図である。
【図５Ａ】本発明の好適な実施例による電子部品内装型プリント基板の製造方法の工程（３）を示す断面図である。
【図５Ｂ】本発明の好適な実施例による電子部品内装型プリント基板の製造方法の工程（４）を示す断面図である。
【図６Ａ】本発明の好適な実施例による電子部品内装型プリント基板の製造方法の工程（５）を示す断面図である。
【図６Ｂ】本発明の好適な実施例による電子部品内装型プリント基板の製造方法の工程（６）を示す断面図である。
【図７】本発明の好適な実施例による電子部品内装型プリント基板の製造方法の工程（７）を示す断面図である。
【図８】本発明の好適な実施例による電子部品内装型プリント基板の製造方法の工程（８）を示す断面図である。
【図９】本発明の好適な実施例による電子部品内装型プリント基板の製造方法の工程（９）を示す断面図である。
【図１０】本発明の好適な実施例による電子部品内装型プリント基板の製造方法の工程（１０）を示す断面図である。
【図１１】本発明の好適な実施例による電子部品の断面図（１）である。
【図１２】本発明の好適な実施例による電子部品の断面図（２）である。
【図１３】本発明の好適な他の実施例による電子部品内装型プリント基板の断面図（１）である。
【図１４】本発明の好適な他の実施例による電子部品内装型プリント基板の断面図（２）である。
【図１５Ａ】本発明の好適な他の実施例による電子部品内装型プリント基板の製造方法の工程（１）を示す断面図である。
【図１５Ｂ】本発明の好適な他の実施例による電子部品内装型プリント基板の製造方法の工程（２）を示す断面図である。
【図１６Ａ】本発明の好適な他の実施例による電子部品内装型プリント基板の製造方法の工程（３）を示す断面図である。
【図１６Ｂ】本発明の好適な他の実施例による電子部品内装型プリント基板の製造方法の工程（４）を示す断面図である。
【図１７Ａ】本発明の好適な他の実施例による電子部品内装型プリント基板の製造方法の工程（５）を示す断面図である。
【図１７Ｂ】本発明の好適な他の実施例による電子部品内装型プリント基板の製造方法の工程（６）を示す断面図である。
【図１８】本発明の好適な他の実施例による電子部品内装型プリント基板の製造方法の工程（７）を示す断面図である。
【図１９】本発明の好適な他の実施例による電子部品内装型プリント基板の製造方法の工程（８）を示す断面図である。
【図２０】本発明の好適な他の実施例による電子部品内装型プリント基板の製造方法の工程（９）を示す断面図である。
【図２１】本発明の好適な他の実施例による電子部品内装型プリント基板の製造方法の工程（１０）を示す断面図である。
【図２２】本発明の好適な他の実施例による電子部品内装型プリント基板の製造方法の工程（１１）を示す断面図である。
【発明を実施するための形態】
【００４０】
本発明の目的、特定の利点及び新規の特徴は、添付図面を参照する以下の詳細な説明と好適な実施例からより明らかになるであろう。本発明の説明において、各図面の構成要素に参照番号を付け加えるにあたり、同じ構成要素がたとえ他の図面に図示されていても、できるだけ同じ符号を付けることにする。また、“一面”、“他面”、“第１”、“第２”などの用語はある構成要素を他の構成要素と区別するために使用したもので、構成要素が前記用語に制限されるものではない。本発明の説明において、本発明の要旨を不要にあいまいにすることができる関連の公知技術についての具体的な説明は省略する。
【００４１】
以下、添付図面に基づいて、本発明の好適な実施例を詳細に説明する。
【００４２】
図２及び図３は、本発明の好適な実施例による電子部品内装型プリント基板の断面図である。
【００４３】
図２に示すように、本実施例による電子部品内装型プリント基板１００は、厚さ方向に空洞１１５が形成されたベース基板１１０、活性面１２３がベース基板１１０の一面と一致するように空洞１１５内に配置された電子部品１２０、ベース基板１１０の他面に積層され、電子部品１２０を埋め込む絶縁材１３０、及びベース基板１１０の一面に形成され、電子部品の接続端子１２５と接続する接続パターン１４５を含む第１回路層１４０を含んでなる。また、図３に示すように、本実施例による電子部品内装型プリント基板２００は、ベース基板１１０の一面または絶縁材１３０の他面に積層されたビルドアップ層１７０をさらに含むことができる。
【００４４】
ベース基板１１０は、プリント基板に一般的に使用される絶縁材でなることができ、例えば、銅張積層板（ＣＣＬ）の銅箔をすっかり除去したアンクラッド銅張積層板（ｕｎｃｌａｄ ＣＣＬ）またはエポキシ系樹脂を用いて形成することができる。また、ベース基板１１０には、電子部品１２０が配置される空洞１１５が厚さ方向に貫設されている。
【００４５】
電子部品１２０は、プリント基板と電気的に連結されて特定機能をする部品で、半導体素子のような能動素子またはキャパシタのような受動素子であることができる。ここで、電子部品１２０の活性面１２３は、ベース基板１１０の一面と一致し、それによりビアホールを加工する必要がなく、接続端子１２５に接続パターン１４５をメッキして直接連結することができる。ここで、活性面１２３がベース基板１１０の一面と一致するというのは、数学的に完全に同一平面上に位置するというものはなく、製造工程で発生する加工誤差などによる微々たる公差を含む意味である。
【００４６】
一方、電子部品１２０の活性面１２３は、一般的に接続端子１２５が備えられた最外側面を意味する。より詳細に、図１１に示すように、接続端子１２５が突設された場合、電子部品１２０の活性面１２３は、接続端子１２５の露出面となる。本実施例においては、図１１に示す電子部品１２０を基準に説明するが、これに限定されるものではなく、図１２に示すように、接続端子１２５がパッシベーション層１２７に埋め込まれた場合、電子部品１２０の活性面１２３は、パッシベーション層１２７の露出面となる。
【００４７】
絶縁材１３０は、電子部品１２０を埋め込む役目をするもので、ベース基板１１０の他面から積層されて、電子部品１２０が配置された空洞１１５に充填される。絶縁材１３０は、プリント基板に一般的に使用される絶縁材でなることができ、例えば、ＲＣＣ（Ｒｅｓｉｎ Ｃｏａｔｅｄ Ｃｏｐｐｅｒ Ｆｏｉｌ）またはプリプレグ（ｐｒｅｐｒｅｇ）でなることができる。絶縁材１３０がＲＣＣの場合、ＲＣＣの銅箔１３５（図６及び図７参照）の反対面が、ベース基板１１０に積層されなければならないのはいうまでもないし、ＲＣＣの銅箔１３５は、第２回路層１５０にパターニングできる。
【００４８】
第１回路層１４０は、ベース基板１１０の一面に形成され、接続パターン１４５を介して電子部品１２０の接続端子１２５に連結されるものである。電子部品１２０の活性面１２３は、ベース基板１１０の一面と一致するので、従来の工法とは異なり、別のビアが必要なくて接続信頼性が優れ、レーザー工程を省略することができるので製造費用を節減することができる。また、従来技術とは異なり、必ずしも４層構造以上である必要がないので、回路設計の自由度を高めることができ、プリント基板の軽薄短小化に寄与することができる。一方、第１回路層１４０は、通常のＳＡＰ（Ｓｅｍｉ−Ａｄｄｉｔｉｖｅ Ｐｒｏｃｅｓｓ）、ＭＳＡＰ（Ｍｏｄｉｆｉｅｄ Ｓｅｍｉ−Ａｄｄｉｔｉｖｅ Ｐｒｏｃｅｓｓ）またはサブトラクティブ法（Ｓｕｂｔｒａｃｔｉｖｅ）などによって形成することができる。
【００４９】
絶縁材１３０の他面には、第２回路層１５０を形成することができる。第２回路層１５０は、絶縁材１３０としてＲＣＣを使用する場合、ＲＣＣの銅箔１３５をパターニングして形成することができる（図７及び図８参照）。また、前述した第１回路層１４０と同様に、第２回路層１５０は、通常のＳＡＰ、ＭＳＡＰまたはサブトラクティブ法などによって形成することができる。そして、ベース基板１１０と絶縁材１３０を貫いて第１回路層１４０と第２回路層１５０を連結するビア１６０を形成することができる。ここで、第１回路層１４０、第２回路層１５０及びビア１６０は、ＳＡＰ、ＭＳＡＰなどによって同時に形成することができ、これにより製造工程を簡素化することができる。
【００５０】
また、図３に示すように、本実施例による電子部品内装型プリント基板２００は、ビルドアップ層１７０をさらに含むことができる。ビルドアップ層１７０は、ベース基板１１０の一面または絶縁材１３０の他面に積層される。ここで、ビルドアップ層１７０は、別の絶縁材を積層し、ＹＡＧレーザーまたはＣＯ２レーザーでビアホールを形成した後、ＳＡＰまたはＭＳＡＰなどを行ってビアを含む回路層を形成することで完成することができる。一方、図３には、ビルドアップ層１７０がベース基板１１０の一面と絶縁材１３０の他面に共に形成されており、それぞれ２層構造であるが、必ずしも両面に形成されなければならないのではなく、２層構造でなければならないのではない。ビルドアップ層１７０は、いずれか片面にだけ形成されるか、２層以上の構造に形成されても本発明の権利範囲に属するものであるのは言うまでもない。
【００５１】
一方、本実施例による電子部品内装型プリント基板１００、２００の最外側には、ソルダレジスト層２１０を形成することが好ましい。ソルダレジスト層２１０は、耐熱性被覆材料で、ソルダリング（ｓｏｌｄｅｒｉｎｇ）の際に最外側回路層に半田が塗布されないように保護する役目をする。また、外部回路との電気的連結のために、ソルダレジスト層２１０に開口部を加工してパッドを露出させることが好ましい。
【００５２】
図１３及び図１４は、本発明の好適な他の実施例による電子部品内装型プリント基板の断面図である。
【００５３】
図１３及び図１４に示すように、本実施例による電子部品内装型プリント基板３００、４００と前述した実施例による電子部品内装型プリント基板１００、２００との間の最大の相違点は、ベース基板１１０の構成にある。したがって、前述した実施例と重複する内容は省略し、ベース基板１１０を中心に説明する。
【００５４】
本実施例によるベース基板１１０は、一面に銅箔１１３が形成された絶縁素材１１１であり（図１５参照）、銅張積層板（ＣＣＬ）の他面に形成された銅箔をエッチングで除去して形成するか、あるいはＲＣＣなどを用いることができる。ここで、ベース基板１１０の銅箔１１３は、第１回路層１４０に対応するようにパターニングされる（図２０参照）。例えば、第１回路層１４０をサブトラクティブ法で形成するとき、ベース基板１１０の銅箔１１３を第１回路層１４０とともに選択的にエッチングしてパターニングすることができる。結局、パターニングされた銅箔１１３ａは、第１回路層１４０と実質的に同一役目をする。
【００５５】
本実施例による電子部品内装型プリント基板３００、４００は、製造工程中にベース基板１１０に銅箔１１３が備えられるので、基板の反り（ｗａｒｐａｇｅ）を防止することができる利点がある。
【００５６】
図４〜図１０は、本発明の好適な実施例による電子部品内装型プリント基板の製造方法を工程順に示す図である。
【００５７】
図４〜図１０に示すように、本実施例による電子部品内装型プリント基板の製造方法は、（Ａ）一面に支持テープ１８０が付着され、空洞１１５が厚さ方向に形成されたベース基板１１０を準備する段階、（Ｂ）活性面１２３がベース基板１１０の一面と一致するように空洞１１５内に電子部品１２０を配置する段階、（Ｃ）ベース基板１１０の他面に絶縁材１３０を積層して電子部品１２０を埋め込む段階、及び（Ｄ）支持テープ１８０を除去し、ベース基板１１０の一面に電子部品の接続端子１２５と接続する接続パターン１４５を含む第１回路層１４０を形成する段階を含んでなるものである。また、本実施例による電子部品内装型プリント基板の製造方法は、ベース基板１１０の一面または絶縁材１３０の他面にビルドアップ層１７０を積層する段階をさらに含むことができる。
【００５８】
まず、図４Ａ及び図４Ｂに示すように、一面に支持テープ１８０が付着され、電子部品１２０が配置される空洞１１５が厚さ方向に形成されたベース基板１１０を準備する段階である。ここで、ベース基板１１０は、プリント基板に一般的に使用される絶縁材でなることができ、例えば、アンクラッド銅張積層板またはエポキシ系樹脂を用いて形成することができる。
【００５９】
一方、支持テープ１８０は、絶縁材１３０が積層されて電子部品１２０が埋め込まれるまで電子部品１２０を固定するための臨時部材で、除去の際、ベース基板１１０または電子部品１２０に残留物が残らない接着剤を使用することが好ましい。また、後述する段階で絶縁材１３０を積層する過程で熱が加わるので、耐熱性に優れたものを用いることがより好ましい。具体的に、支持テープ１８０としては、ポリイミドテープ（ＰＩ ｔａｐｅ）、熱発泡テープまたはＵＶテープを用いることができる。そして、図４Ｂ、図５Ｂ及び図６Ｂに示すように、支持テープ１８０は電子部品１２０を支持するために所定強度以上の支持力を持たなければならないので、支持テープ１８０の一面には金属、プラスチックまたはセラミックなどで形成された支持基板１９０を備えることができる。
【００６０】
ついで、図５Ａ及び図５Ｂに示すように、電子部品１２０の活性面１２３がベース基板１１０の一面と一致するように空洞１１５内に電子部品１２０を配置する段階である。支持テープ１８０は接着力を保有するので、活性面１２３は支持テープ１８０に付着され、活性面１２３が支持テープ１８０に付着されれば、活性面１２３とベース基板１１０の一面が一致することになる。ただ、支持テープ１８０に反りが発生すれば活性面１２３とベース基板１１０の一面が一致しなくなるので、前述したように、別の支持基板１９０を一面に備えて（図５Ｂ参照）所定の支持力を補強することが好ましい。この段階において、活性面１２３とベース基板１１０の一面が一致するというのは数学的に完全に同一平面上に位置するというのはなく、製造工程中に発生する加工誤差などによる微々たる公差を含む意味である。
【００６１】
一方、電子部品１２０の活性面１２３は、一般的に接続端子１２５が備えられた最外側面を意味する。より詳細に、図１１に示すように、接続端子１２５が突設された場合、電子部品１２０の活性面１２３は接続端子１２５の露出面となる。本実施例においては、図１１に示す電子部品１２０を基準に説明するが、これに限定されるものではなく、図１２に示すように、接続端子１２５がパッシベーション層１２７に埋め込まれた場合、電子部品１２０の活性面１２３はパッシベーション層１２７の露出面となる。
【００６２】
ついで、図６Ａ及び図６Ｂに示すように、ベース基板１１０の他面に絶縁材１３０を積層して電子部品１２０を埋め込む段階である。ここで、絶縁材１３０はプリント基板に一般的に使用される絶縁材でなることができ、例えばＲＣＣまたはプリプレグを用いて形成することができる。この際、絶縁材１３０としてＲＣＣを用いる場合、ＲＣＣの銅箔１３５を後述する段階で第２回路層１５０にパターニングすることができる。
【００６３】
ついで、図７〜図９に示すように、支持テープ１８０を除去し、ベース基板１１０の一面に接続端子１２５と接続する接続パターン１４５を含む第１回路層１４０を形成する段階である。この段階において、支持テープ１８０を除去すれば、電子部品１２０の活性面１２３が露出されるので、別のビアホールを加工する必要なしに、接続パターン１４５を含む第１回路層１４０を形成して直接接続端子１２５と接続することができる。一方、この段階において、絶縁材１３０の他面には第２回路層１５０を形成することができる。前述した段階で絶縁材１３０としてＲＣＣを用いた場合、ＲＣＣの銅箔１３５をパターニングして第２回路層１５０を形成することができる。また、ベース基板１１０と絶縁材１３０を貫いて第１回路層１４０と第２回路層１５０を連結するビア１６０を形成することができる。ここで、第１回路層１４０、第２回路層１５０及びビア１６０は、ＳＡＰ、ＭＳＡＰ及びサブトラクティブ法などによって形成することができる。
【００６４】
ついで、図１０に示すように、ベース基板１１０の一面または絶縁材１３０の他面にビルドアップ層１７０を積層する段階である。ここで、ビルドアップ層１７０は、別個の絶縁材を積層し、ＹＡＧレーザーまたはＣＯ２レーザーを用いてビアホールを形成した後、ＳＡＰまたはＭＳＡＰなどを行ってビアを含む回路層を形成することで完成することができる。一方、図１０には、ビルドアップ層１７０がベース基板１１０の一面と絶縁材１３０の他面に共に形成され、それぞれ２層構造であるが、必ずしも両面に共に形成されなければならないのではなく、２層構造でなければならないのではない。ビルドアップ層１７０がいずれか片面にだけ形成されるか、あるいは２層以上の構造に形成されても本発明の権利範囲に属するものであるのは言うまでもない。
【００６５】
また、図９及び図１０に示すように、本実施例による電子部品内装型プリント基板の最外側には、ソルダレジスト層２１０を形成することが好ましい。ソルダレジスト層２１０は、耐熱性被覆材料でソルダリングするとき、最外側の回路層に半田が塗布されないように保護する役目をする。また、外部回路との電気的連結のために、ソルダレジスト層２１０に開口部を加工してパッドを露出させることが好ましい。
【００６６】
図１５〜図２２は、本発明の好適な他の実施例による電子部品内装型プリント基板の製造方法を工程順に示す図である。
【００６７】
図１５〜図２２に示すように、本実施例による電子部品内装型プリント基板の製造方法と前述した実施例による電子部品内装型プリント基板の製造方法の間の最大の相違点はベース基板１１０の構成にある。したがって、相違点であるベース基板１１０を中心に説明する。
【００６８】
まず、図１５Ａ及び図１５Ｂに示すように、一面に支持テープ１８０が付着され、電子部品１２０が配置される空洞１１５が厚さ方向に形成されたベース基板１１０を準備する段階である。ここで、ベース基板１１０は、一面に銅箔１１３が形成された絶縁素材１１１であり、銅張積層板（ＣＣＬ）の他面に形成された銅箔をエッチングで除去することで形成するか、ＲＣＣなどを用いることができる。
【００６９】
一方、図１５Ｂ、図１６Ｂ及び図１７Ｂに示すように、支持テープ１８０は、電子部品１２０を支持するために、所定強度以上の支持力を持たなければならないので、支持テープ１８０の一面には金属、プラスチックまたはセラミックなどで形成された支持基板１９０を備えることができる。
【００７０】
ついで、図１６Ａ及び図１６Ｂに示すように、電子部品１２０の活性面１２３がベース基板１１０の一面と一致するように空洞１１５内に電子部品１２０を配置する段階である。支持テープ１８０は接着力を保有するので、活性面１２３は支持テープ１８０に付着される。活性面１２３が支持テープ１８０に付着されれば、活性面１２３とベース基板１１０の一面は一致することになる。ただ、支持テープ１８０に反りが発生すれば、活性面１２３とベース基板１１０の一面が一致しなくなるので、前述したように、別の支持基板１９０を一面に備えて（図１６Ｂ参照）所定の支持力を補強することが好ましい。
【００７１】
ついで、図１７Ａ及び図１７Ｂに示すように、ベース基板１１０の他面に絶縁材１３０を積層して電子部品１２０を埋め込む段階である。この際、絶縁材１３０としてＲＣＣを用いることができる。この場合、ＲＣＣの銅箔１３５を後述する段階で第２回路層１５０にパターニングすることができる。
【００７２】
ついで、図１８〜図２１に示すように、支持テープ１８０を除去し、ベース基板１１０の一面に接続端子１２５と接続する接続パターン１４５を含む第１回路層１４０を形成する段階である。この段階において、支持テープ１８０を除去すれば、電子部品１２０の活性面１２３が露出されるので、別のビアホールを加工する必要なしに接続パターン１４５を含む第１回路層１４０を形成して直接接続端子１２５と接続することができる。第１回路層１４０を形成する過程をより詳細に説明すれば、ベース基板１１０の銅箔１１３にメッキ層１４１を形成し（図１９参照）、ベース基板１１０の銅箔１１３とメッキ層１４１を一緒にパターニングして第１回路層１４０を形成する（図２０参照）。ここで、パターニングされた銅箔１１３ａは、第１回路層１４０と実質的に同じ役目をする。一方、この段階において、絶縁材１３０の他面には、第２回路層１５０を形成することができ、ベース基板１１０と絶縁材１３０を貫いて第１回路層１４０と第２回路層１５０を連結するビア１６０を形成することができる。
【００７３】
ついで、図２２に示すように、ベース基板１１０の一面または絶縁材１３０の他面にビルドアップ層１７０を積層する段階である。
【００７４】
また、図２１及び図２２に示すように、本実施例による電子部品内装型プリント基板の最外側には、ソルダレジスト層２１０を形成することが好ましい。
【００７５】
以上、本発明を具体的な実施例に基づいて詳細に説明したが、これは本発明を具体的に説明するためのもので、本発明による電子部品内蔵型プリント基板及びその製造方法はこれに限定されなく、本発明の技術的思想内で当該分野の通常の知識を持った者によって多様な変形及び改良が可能であろう。本発明の単純な変形ないし変更はいずれも本発明の範疇内に属するもので、本発明の具体的な保護範囲は特許請求範囲によって明らかに決まるであろう。
【産業上の利用可能性】
【００７６】
本発明は、別のビアホールの加工が要らなく、回路設計の自由度を高めることができる電子部品内装型プリント基板及びその製造方法に適用可能である。
【符号の説明】
【００７７】
１００、２００、３００、４００    電子部品内装型プリント基板
１１０    ベース基板
１１１    絶縁素材
１１３    銅箔
１１５    空洞
１２０    電子部品
１２３    活性面
１２５    接続端子
１２７    パッシベーション層
１３０    絶縁材
１３５    銅箔
１４０    第１回路層
１４１    メッキ層
１４５    接続パターン
１５０    第２回路層
１６０    ビア
１７０    ビルドアップ層
１８０    支持テープ
１９０    支持基板
２１０    ソルダレジスト層
【図１Ａ】
2011119628.tif 000003
【図１Ｂ】
2011119628.tif 000004
【図１Ｃ】
2011119628.tif 000005
【図１Ｄ】
2011119628.tif 000006
【図１Ｅ】
2011119628.tif 000007
【図２】
2011119628.tif 000008
【図３】
2011119628.tif 000009
【図４Ａ】
2011119628.tif 000010
【図４Ｂ】
2011119628.tif 000011
【図５Ａ】
2011119628.tif 000012
【図５Ｂ】
2011119628.tif 000013
【図６Ａ】
2011119628.tif 000014
【図６Ｂ】
2011119628.tif 000015
【図７】
2011119628.tif 000016
【図８】
2011119628.tif 000017
【図９】
2011119628.tif 000018
【図１０】
2011119628.tif 000019
【図１１】
2011119628.tif 000020
【図１２】
2011119628.tif 000021
【図１３】
2011119628.tif 000022
【図１４】
2011119628.tif 000023
【図１５Ａ】
2011119628.tif 000024
【図１５Ｂ】
2011119628.tif 000025
【図１６Ａ】
2011119628.tif 000026
【図１６Ｂ】
2011119628.tif 000027
【図１７Ａ】
2011119628.tif 000028
【図１７Ｂ】
2011119628.tif 000029
【図１８】
2011119628.tif 000030
【図１９】
2011119628.tif 000031
【図２０】
2011119628.tif 000032
【図２１】
2011119628.tif 000033
【図２２】
2011119628.tif 000034